【事件の表示】
　特願２００３−　２１５８０「電子カメラ」拒絶査定不服審判事件〔平成１５年１０月２４日出願公開、特開２００３−３０４４８２〕について、次のとおり審決する。
【結　論】
　本件審判の請求は、成り立たない。
【理　由】
１　経緯等
（１）手続
　本件出願は、平成１５年１月３０日（優先権主張 平成１４年２月８日）の出願（特願２００３−２１５８０号）であって、平成１９年１月３１日付けで拒絶の理由が通知され、これに対し、平成１９年４月９日付けで意見書が提出されると同時に手続補正がなされたが、平成１９年５月１８日付けで拒絶査定がなされた。
　本件は、上記拒絶査定を不服として平成１９年６月２８日に請求された拒絶査定不服審判である。
　
（２）査定
　原審での査定の理由は、概略、以下のとおりである。
　
　本願の各請求項に係る発明は、下記刊行物に記載された発明及び周知技術に基づいて当業者が容易に発明をすることができたものであるから、特許法第２９条第２項の規定により、特許を受けることができない。
　　　　　　　　　　　　　　　　　記
刊行物１：特開２００１−７８０６１号公報
刊行物２：特開平５−７５９６６号公報（拒絶査定時に周知例として提示）
　
２．本願発明について
（１）本願発明
　本願の請求項１に係る発明（以下、同項記載の発明を「本願発明」という。）は、平成１９年４月９日付け手続補正書の特許請求の範囲の請求項１に記載された事項により特定される、以下のとおりのものである。
　
「撮像素子と、
　前記撮像素子から出力された撮像信号による画像データを着脱可能なデータ記録媒体に記録する記録回路と、
　前記データ記録媒体に記録される画像データのコマ数を算出するコマ数算出回路と、
　情報を表示する表示装置と、
　前記データ記録媒体の装着の有無を検出するデータ記録媒体検出回路と、
　メインスイッチオフ時に前記データ記録媒体検出回路で前記装着が検出されている場合は前記コマ数を表示し、前記メインスイッチオフ時に前記データ記録媒体検出回路で前記装着が検出されていない場合は非装着を示す表示をするように前記表示装置を制御する制御回路とを備えることを特徴とする電子カメラ。」
　
（２）引用刊行物の記載
　原査定の拒絶の理由に引用された特開２００１−７８０６１号公報（以下、「刊行物１」という。）には、図面とともに次の記載がある。
　
ア　「【０００１】
【発明の属する技術分野】本発明は、デジタルカメラに関し、より詳細には静止画の画像データを記録媒体に記録して操作するデジタルカメラに関する。」
　
イ　「【００３０】（実施例１）図１において、１は、デジタルカメラ全体を制御するＣＰＵ、２は撮影レンズ、３はレンズ駆動装置であり、不図示の焦点検出装置の出力により撮影レンズ２を操作して焦点調節を行う。４はシャッター、５はシャッターチャージ機構であり、不図示のモータ及び駆動機構等からなり、シャッター４をチャージする。７はＣＣＤ等からなる光電変換素子であり、撮影レンズ２で結像された被写体像を画像信号に変換する。８は画像処理手段であり、光電変換素子７の画像信号に様々な処理を行い、画像データに変換する。９は画像データを記録する記録媒体であり、カメラ内蔵、或は着脱可能な磁気記録装置や、半導体メモリ等から成る。１０は記録手段であり、画像データを記録媒体９に記録する。１２は電池等の電源である。１５はＳＷ１を形成し撮影準備動作を開始するスイッチであり、１６はＳＷ２を形成するレリーズスイッチであり、２５はＳＷ４を形成するメイン電源スイッチである。
【００３１】なお、後述するが、ＳＷ４を形成するメイン電源スイッチ２５がオフの場合であっても、幾つかの機能が働くように電力が供給されるようになっている。１７は液晶ディスプレイ等からなる表示手段であり、撮影画像及びカメラの様々な情報を表示するようになっている。なお、表示手段１７はＳＷ４を形成するメイン電源スイッチ２５がオフの場合でも表示を継続して行う。１８は電源容量検出手段（装置）であり、電池等の電源１２の容量を検出する。１９は記録媒体容量検出手段（装置）であり、記録媒体９の残り容量を検出する。２０は記録媒体種類検出手段（装置）であり、記録媒体９の種類を検出する。
【００３２】本実施例のデジタルカメラは、撮影画像１枚当たりの記録情報量が異なる複数の記録モードを有し、これら複数の記録モードは圧縮率及び／または画像の画素数が異なるものである。２１は設定手段であり、前記１枚当たりの情報量、または前記記録モードを設定する。２２は第１の撮影可能枚数算出手段であり、記録媒体容量検出手段（装置）１９が検出した記録媒体９の残り容量と設定手段２１が設定した１枚当たりの情報量の比、または、前記記録モードに対応し且つ予め決められた１枚当たりの情報量の比から記録媒体９に記録可能な第１の撮影可能枚数を算出する。２３は第２の撮影可能枚数算出手段であり、電源容量検出手段（装置）１８が検出した電源１２の容量と設定手段２１が設定した１枚当たりの情報量、または、前記記録モードに対応し且つ予め決められた１枚当たりの情報量と、予め求めてある１枚の撮影に必要な電力から、同一電源１２で撮影できる第２の撮影可能枚数を算出する。２４はＳＷ３を形成する電源容量検出スイッチであり、このＳＷ３を形成する電源容量検出スイッチ２４がオンすると、電源容量検出手段１８が電源１２の容量を検出する。」
　
ウ　「【００３３】図２は、本実施例におけるデジタルカメラの表示サブルーチンのフローチャートであり、図２を参照して表示サブルーチンの動作例を説明する。
【００３４】先ず、ステップＳ１で、電源容量検出装置１８が電源１２の容量を検出し、ステップＳ２で、記録媒体種類検出装置２０が記録媒体９の種類を検出し、ステップＳ３で、記録媒体容量検出装置１９が記録媒体９の残り容量を検出し、ステップＳ４で、第１の撮影可能枚数算出手段２２が、記録媒体容量検出装置１９が検出した記録媒体９の残り容量と、設定手段２１により設定されている撮影画像１枚当たりの情報量との比、または、記録モードに対応し且つ予め決められた１枚当たりの情報量との比から、設定手段２１による撮影画像１枚当たりの情報量の設定で記録媒体９に記録できる撮影枚数である第１の撮影可能枚数Ｍを算出する。ステップＳ５で、第２の撮影可能枚数算出手段２３が、電源容量検出装置１８が検出した電源１２の容量と設定手段２１が設定した撮影画像１枚当たりの情報量と、予め定められている１枚の撮影に必要な消費電力との比から、または、記録モードに対応し且つ予め決められた１枚当たりの情報量と、予め定められている１枚の撮影に必要な消費電力から、設定手段２１による撮影画像１枚当たりの情報量の設定で、電源１２で撮影できる第２の撮影可能枚数Ｎを算出する。
【００３５】ステップＳ６で、第１の撮影可能枚数Ｍと第２の撮影可能枚数Ｎの大小を判断するＭ＞ＮならステップＳ７へ、Ｍ＜ＮならステップＳ９へ進む。
【００３６】ステップＳ７で、第１の撮影可能枚数Ｍと第２の撮影可能枚数Ｎの少ない枚数である第３の撮影可能枚数ＬをＮとする。ステップＳ８で、前記第３の撮影可能枚数ＬをＭとする。ステップＳ９で、表示手段１７が電源容量、記憶媒体種類、第１の撮影可能枚数、第２の撮影可能枚数、第３の撮影可能枚数等のカメラの様々な情報を必要に応じて表示し、動作を終了する。
【００３７】ＳＷ４を形成するメイン電源スイッチ２５がオフの場合でも、このサブルーチンは実行され表示が行われる。」
　
エ　「【００４９】図７は、表示手段１７の実施例１の場合で、セグメント表示例を示す説明図であり、図の場合は説明のために全セグメントを表示させた状態を表した図である。実際は必要なセグメントのみを表示する。
【００５０】図中、同一の符号を付したものは、前に示したものと同様であるので説明を省略する。
【００５１】図において、４９は撮影画像表示部、５０は電源容量表示部である。電源容量表示部５０は、図８に示すように電源容量検出装置１８が検出した電源１２の容量に応じて、Ａ；容量が十分である、Ｂ；容量が半分以下である、Ｃ；容量が０である、の三つの状態を表示する。５１は記録媒体種類表示部で、本実施例のカメラではハードディスクとＣＦカードの二種類を装着可能とし、記録媒体種類検出装置２０が不図示の記録媒体収納装置に収納されている記録媒体９がハードディスクであることを検出した時は、図中５２に示すように“ＨＤＤ”を表示し、ＤＦカードであることを検出した時は、図中５３に示すように“ＣＦ”を表示し、不図示の記録媒体収納装置が空で何も検出されない時は記録媒体種類表示部５１は何も表示しない。」
　
（３）　刊行物に記載された発明の認定
ア　デジタルカメラ
　刊行物１には、上記「（２）　ア」に示したとおり「画像データを記録媒体に記録して操作するデジタルカメラ」が記載されており、これを刊行物に記載された発明（以下「引用発明」という）として認定する。
　
イ　撮像素子、記録媒体への記録
　上記「（２）　イ」の「・・・７はＣＣＤ等からなる光電変換素子であり、撮影レンズ２で結像された被写体像を画像信号に変換する。８は画像処理手段であり、光電変換素子７の画像信号に様々な処理を行い、画像データに変換する。９は画像データを記録する記録媒体であり、カメラ内蔵、或は着脱可能な磁気記録装置や、半導体メモリ等から成る。１０は記録手段であり、画像データを記録媒体９に記録する。」によれば、
　刊行物１に記載のデジタルカメラは、
「撮影レンズ２で結像された被写体像を画像信号に変換する」「ＣＣＤ等からなる光電変換素子」と、
「光電変換素子７の画像信号に様々な処理を行い、画像データに変換」し、「画像データを」「カメラ内蔵、或は着脱可能な磁気記録装置や、半導体メモリ等から成る」「記録媒体９に記録する」「記録手段」
を有していると認められる。
　
ウ　撮影可能枚数算出手段
　上記「（２）　イ」の「・・・２２は第１の撮影可能枚数算出手段であり、記録媒体容量検出手段（装置）１９が検出した記録媒体９の残り容量と設定手段２１が設定した１枚当たりの情報量の比、または、前記記録モードに対応し且つ予め決められた１枚当たりの情報量の比から記録媒体９に記録可能な第１の撮影可能枚数を算出する。」によれば、
　刊行物１に記載のデジタルカメラは、
「記録媒体９に記録可能な」「撮影可能枚数を算出する」「撮影可能枚数算出手段」を有していると認められる。
　
エ　表示手段
　上記「（２）　イ」の「１７は液晶ディスプレイ等からなる表示手段であり、撮影画像及びカメラの様々な情報を表示するようになっている。」によれば、
　刊行物１に記載のデジタルカメラは、
　「撮影画像及びカメラの様々な情報を表示する」「液晶ディスプレイ等からなる表示手段」を有するものであると認められる。
　
オ　記録媒体の検出
　上記「（２）　イ」の「２０は記録媒体種類検出手段（装置）であり、記録媒体９の種類を検出する」によれば、
　刊行物１に記載のデジタルカメラは、
「記録媒体９の種類を検出する」「記録媒体種類検出装置」を有していると認められる。
　
カ　メイン電源オフの場合の表示
（ア）メイン電源オフの場合の撮影可能枚数の表示
　上記「（２）　ウ」の「・・・図２を参照して表示サブルーチンの動作例を説明する。・・・ステップＳ２で、記録媒体種類検出装置２０が記録媒体９の種類を検出し、ステップＳ３で、記録媒体容量検出装置１９が記録媒体９の残り容量を検出し、ステップＳ４で、第１の撮影可能枚数算出手段２２が、記録媒体容量検出装置１９が検出した記録媒体９の残り容量と、設定手段２１により設定されている撮影画像１枚当たりの情報量との比、または、記録モードに対応し且つ予め決められた１枚当たりの情報量との比から、設定手段２１による撮影画像１枚当たりの情報量の設定で記録媒体９に記録できる撮影枚数である第１の撮影可能枚数Ｍを算出する。・・・ステップＳ９で、表示手段１７が・・・記憶媒体種類、第１の撮影可能枚数・・・等のカメラの様々な情報を必要に応じて表示し、動作を終了する。
【００３７】ＳＷ４を形成するメイン電源スイッチ２５がオフの場合でも、このサブルーチンは実行され表示が行われる。」によれば、
　刊行物１に記載のデジタルカメラは、
「メイン電源スイッチ２５がオフの場合でも、」「記録媒体種類検出装置２０が記録媒体９の種類を検出し、」「記録媒体容量検出装置１９が記録媒体９の残り容量を検出し、」「撮影可能枚数算出手段２２が、記録媒体容量検出装置１９が検出した記録媒体９の残り容量と、設定手段２１により設定されている撮影画像１枚当たりの情報量との比、または、記録モードに対応し且つ予め決められた１枚当たりの情報量との比から、設定手段２１による撮影画像１枚当たりの情報量の設定で記録媒体９に記録できる撮影枚数である」「撮影可能枚数Ｍを算出」し、「表示手段１７が」「撮影可能枚数」を「表示」するように構成されていると認められる。
　
（イ）メイン電源オフの場合の記録媒体に関する表示
　上記（ア）、及び上記「（２）　エ」の「５１は記録媒体種類表示部で、本実施例のカメラではハードディスクとＣＦカードの二種類を装着可能とし、記録媒体種類検出装置２０が不図示の記録媒体収納装置に収納されている記録媒体９がハードディスクであることを検出した時は、図中５２に示すように“ＨＤＤ”を表示し、ＤＦカードであることを検出した時は、図中５３に示すように“ＣＦ”を表示し、不図示の記録媒体収納装置が空で何も検出されない時は記録媒体種類表示部５１は何も表示しない。」によれば、
　刊行物１に記載のデジタルカメラは、
　「メイン電源スイッチ２５がオフの場合でも、」「記録媒体種類検出装置２０が記録媒体９の種類を検出し、」「表示手段１７が」「記憶媒体種類」を「表示」し、
　当該表示手段の表示は
「記録媒体種類検出装置２０が」「記録媒体収納装置に収納されている記録媒体９がハードディスクであることを検出した時は、」「“ＨＤＤ”を表示し、ＣＦカードであることを検出した時は、」「“ＣＦ”を表示し、」「記録媒体収納装置が空で何も検出されない時は、その「記録媒体種類表示部５１は何も表示しない」ものであると認められる。（上記「（２）　エ」の「ＤＦカードであることを検出した時」は、正しくは「ＣＦカードであることを検出した時」であることは明らかである。）
　
（ウ）全体の制御
　上記「（２）　イ」に示した、「１は、デジタルカメラ全体を制御するＣＰＵ」なる記載にかんがみれば、上記（ア）、（イ）の制御は「ＣＰＵ」が行っていると認められるから、結局、刊行物１に記載のデジタルカメラは、
　「メイン電源スイッチがオフの場合でも、記録媒体種類検出装置が記録媒体の種類を検出し、記録媒体容量検出装置が記録媒体の残り容量を検出し、撮影可能枚数算出手段が、記録媒体容量検出装置が検出した記録媒体の残り容量と、設定手段により設定されている撮影画像１枚当たりの情報量との比、または、記録モードに対応し且つ予め決められた１枚当たりの情報量との比から、設定手段による撮影画像１枚当たりの情報量の設定で記録媒体に記録できる撮影枚数である撮影可能枚数Ｍを算出し、表示手段が撮影可能枚数を表示し、
　メイン電源スイッチがオフの場合でも、記録媒体種類検出装置が記録媒体の種類を検出し、表示手段が記憶媒体種類を表示し、
　当該表示手段の表示は
　記録媒体種類検出装置が記録媒体収納装置に収納されている記録媒体がハードディスクであることを検出した時は、“ＨＤＤ”を表示し、ＣＦカードであることを検出した時は、“ＣＦ”を表示し、記録媒体収納装置が空で何も検出されない時は、その記録媒体種類表示部は何も表示しない
ようにするように制御をするＣＰＵ」
を有していると認められる。
　
キ　引用発明
　以上を踏まえ、上記刊行物１記載事項及び図面を総合勘案すると、刊行物に記載された発明（引用発明）として、次のものを認めることができる。
　
「撮影レンズで結像された被写体像を画像信号に変換するＣＣＤ等からなる光電変換素子と、
　前記光電変換素子の画像信号に様々な処理を行い、画像データに変換し、画像データをカメラ内蔵、或は着脱可能な磁気記録装置や、半導体メモリ等から成る記録媒体に記録する記録手段と、
　記録媒体に記録可能な撮影可能枚数を算出する撮影可能枚数算出手段と、
　撮影画像及びカメラの様々な情報を表示する液晶ディスプレイ等からなる表示手段と、
　記録媒体の種類を検出する記録媒体種類検出装置と、
　メイン電源スイッチがオフの場合でも、記録媒体種類検出装置が記録媒体の種類を検出し、記録媒体容量検出装置が記録媒体の残り容量を検出し、撮影可能枚数算出手段が、記録媒体容量検出装置が検出した記録媒体の残り容量と、設定手段により設定されている撮影画像１枚当たりの情報量との比、または、記録モードに対応し且つ予め決められた１枚当たりの情報量との比から、設定手段による撮影画像１枚当たりの情報量の設定で記録媒体に記録できる撮影枚数である撮影可能枚数Ｍを算出し、表示手段が撮影可能枚数を表示し、
　メイン電源スイッチがオフの場合でも、記録媒体種類検出装置が記録媒体の種類を検出し、表示手段が記憶媒体種類を表示し、
　当該表示手段の表示は、
　記録媒体種類検出装置が記録媒体収納装置に収納されている記録媒体がハードディスクであることを検出した時は、“ＨＤＤ”を表示し、
　ＣＦカードであることを検出した時は、“ＣＦ”を表示し、
　記録媒体収納装置が空で何も検出されない時は、その記録媒体種類表示部は何も表示しない
ようにするように制御をするＣＰＵとを備えることを特徴とするデジタルカメラ」
　
（３）対比
　本願発明を引用発明と比較する。
ア　「撮像素子」について
　引用発明の「光電変換素子」は、「撮影レンズで結像された被写体像を画像信号に変換する」ものであるから、本願発明の「撮像素子」と相違がないといえる。
　
イ　「前記撮像素子から出力された撮像信号による画像データを着脱可能なデータ記録媒体に記録する記録回路」について
　引用発明の「記録手段」は、「前記光電変換素子の画像信号に様々な処理を行い、画像データに変換し、画像データを」「着脱可能な磁気記録装置や、半導体メモリ等から成る記録媒体に記録する」ものであるから、本願発明の「前記撮像素子から出力された撮像信号による画像データを着脱可能なデータ記録媒体に記録する記録回路」と相違がないといえる。
　
ウ　「前記データ記録媒体に記録される画像データのコマ数を算出するコマ数算出回路」について
　本願発明でいう「前記データ記録媒体に記録される画像データのコマ数」とは、本願の明細書の段落【００２７】の「コントローラ１０７によって検出されるメモリカード１０６の未記録領域の記録容量（残容量）と、電子カメラに設定されている記録画素数および記録画質とによって未記録領域に記録可能なコマ数、すなわち、残コマ数Ｎを算出してステップＳ１０へ進む」という記載に照らせば、「データ記憶媒体の未記録領域に記録可能な残コマ数」を含んでいるものと解せられるところ、引用発明の「撮影可能枚数算出手段」も「記録媒体に記録可能な撮影可能枚数を算出する」するものであり、また「回路」で構成するものといえるから、本願発明の上記「前記データ記録媒体に記録される画像データのコマ数を算出するコマ数算出回路」と相違がないといえる。
　
エ　「情報を表示する表示装置」について
　引用発明の「表示手段」も「撮影画像及びカメラの様々な情報を表示する液晶ディスプレイ等からなる」ものであるから、「情報を表示する表示装置」ということができる。
　
オ　「前記データ記録媒体の装着の有無を検出するデータ記録媒体検出回路」について
　上記「（２）　オ」、及び「（２）　カ」によれば、引用発明の「記録媒体種類検出装置」は、記録媒体がハードディスクであること、ＣＦカードであることの検出のみならず、「記録媒体収納装置が空で何も検出されない時」も検出することができることは明らかである。
　すなわち、引用発明の「記録媒体種類検出装置」は、「記録媒体の装着の有無を検出」し得るものであり、そのための回路を含んでいるということができる。
　したがって、引用発明も上記「前記データ記録媒体の装着の有無を検出するデータ記録媒体検出回路」を有しているといえ、この点で本願発明と相違しない。
　
カ　「メインスイッチオフ時に前記データ記録媒体検出回路で前記装着が検出されている場合は前記コマ数を表示し、前記メインスイッチオフ時に前記データ記録媒体検出回路で前記装着が検出されていない場合は非装着を示す表示をするように前記表示装置を制御する制御回路」について
　
＜本願発明＞
　本願発明の上記特定事項は、
（ア）表示装置の表示態様が、メインスイッチオフ時に前記データ記録媒体検出回路で前記装着が検出されている場合は前記コマ数を表示する表示態様となること
（イ）表示装置の表示態様が、前記メインスイッチオフ時に前記データ記録媒体検出回路で前記装着が検出されていない場合は、「非装着を示す表示をする」表示態様となること
　本願発明でいう、この「非装着を示す表示を
する
積極的にする
（ウ）表示装置の表示態様が上記（ア）、（イ）の表示態様となるように、制御回路が、前記表示装置を制御すること
　以上の（ア）、（イ）、（ウ）を要件として特定するものである。
　
＜引用発明＞
　引用発明でも、「表示手段」（これが、「情報を表示する表示装置」といい得ることは前記「エ」のとおりである。）と「表示手段」を制御するＣＰＵを有しており、上記（ア）〜（ウ）について検討する。
　
（ア）について
　引用発明のデジタルカメラは、「メイン電源スイッチがオフの場合」に「撮影可能枚数を算出し、表示手段が撮影可能枚数を表示」するように構成されている。そして、メイン電源スイッチがオフの場合の撮影可能枚数の表示は、少なくとも記録媒体が装着されている場合には行うものであり、その装着検出が、「記録媒体検出装置」が具備すると認められる「データ記録媒体検出回路」でなされることは前記「オ」のとおりである。
　したがって、引用発明の表示手段の表示態様は、メインスイッチオフ時に前記データ記録媒体検出回路で前記装着が検出されている場合は、前記コマ数を表示する表示態様となっているから、上記（ア）の要件を満たしており、「メインスイッチオフ時に前記データ記録媒体検出回路で前記装着が検出されている場合は前記コマ数を表示」するものである。
　
（イ）について
　引用発明のデジタルカメラの表示手段は、「メイン電源スイッチがオフの場合」に「記録媒体収納装置が空で何も検出されない時」、すなわち、「記録媒体種類検出装置」が具備すると認められる「データ記録媒体検出回路」で前記装着が検出されていない場合は、記録媒体収納装置にハードディスク、ＣＦカードを検出した時に“ＨＤＤ”、“ＣＦ”と表示するのとは異なり、「その（表示手段の）記録媒体種類表示部は何も表示しない」ようにされているのであるから、
　この「何も表示しない」という態様は、記録媒体が装着されていない場合であることを、消極的ではあるが示す表示の一態様ということができる。
　すなわち、引用発明の表示手段の表示態様は、メインスイッチオフ時に前記データ記録媒体検出回路で前記装着が検出されていない場合は、記録媒体が装着されていない場合を示す表示態様として「何も表示しない」態様となるものである。
　したがって、引用発明の表示手段の表示態様は、前記メインスイッチオフ時に前記データ記録媒体検出回路で前記装着が検出されていない場合は、
記録媒体が装着されていない場合を示す表示態様
　
（ウ）について
　引用発明のデジタルカメラの表示手段は、上記の表示態様となるように、ＣＰＵが制御しており、同ＣＰＵは「制御回路」といい得るものである。
　
以上によれば、
　本願発明と引用発明は、
「メインスイッチオフ時に前記データ記録媒体検出回路で前記装着が検出されている場合は前記コマ数を表示し、メインスイッチオフ時に前記データ記録媒体検出回路で前記装着が検出されていない場合には、前記
装着がされていない場合を示す表示態様
　を有する点で本願発明と一致し、
　表示装置を制御する制御回路が行う表示装置における、
　
メインスイッチオフ時に前記データ記録媒体検出回路で前記装着が検出されていない場合には、前記装着がされていない場合を示す表示態様
　本願発明では、
　「非装着を示す表示を（積極的に）する」表示態様であるのに対して、
　引用発明では、
　「何も表示しない」表示態様である点
　で相違する。
　
キ　「電子カメラ」について
　引用発明の「デジタルカメラ」が、「電子カメラ」といい得ることは明らかである。
　
ウ　一致点、相違点
　以上によれば、本願補正発明と引用発明の一致点、相違点は以下のとおりである。
　
（ア）　一致点
「撮像素子と、
　前記撮像素子から出力された撮像信号による画像データを着脱可能なデータ記録媒体に記録する記録回路と、
　前記データ記録媒体に記録される画像データのコマ数を算出するコマ数算出回路と、
　情報を表示する表示装置と、
　前記データ記録媒体の装着の有無を検出するデータ記録媒体検出回路と、
　メインスイッチオフ時に前記データ記録媒体検出回路で前記装着が検出されている場合は前記コマ数を表示し、前記
メインスイッチオフ時に前記データ記録媒体検出回路で前記装着が検出されていない場合は前記装着がされていない場合を示す表示態様
　
イ　相違点
　表示装置を制御する制御回路が行う表示装置における、
　
メインスイッチオフ時に前記データ記録媒体検出回路で前記装着が検出されていない場合には、前記装着がされていない場合を示す表示態様
　本願発明では、
　「非装着を示す表示を（積極的に）する」表示態様であるのに対して、
　引用発明では、
　「何も表示しない」表示態様である点
　
（４）判断
ア　相違点の克服
　引用発明の、
　表示装置（表示手段）を制御する制御回路（ＣＰＵ）が行う表示装置における、
　メインスイッチオフ時にデータ記録媒体検出回路で装着が検出されていない場合の記録媒体が装着されていない場合を示す表示態様である「何も表示しない」表示態様を、
　「非装着を示す表示を（積極的に）する」表示態様とすることで、上記相違点は克服されて、本願発明に到達する。
　
イ　相違点の克服の容易想到性
（ア）　周知の技術
　電子カメラを含むカメラにおいて、記録媒体の装着が検出されていない場合の表示態様を、「記録媒体の非装着を示す表示を積極的にする」態様とすることは、周知でありごく普通の技術である。
　これには、例えば、以下の刊行物が参照される。
　
ａ　特開平５−７５９６６号公報
　特開平５−７５９６６号公報（以下、「刊行物２」という。）には、図面とともに次の記載がある。
　
　「【００７０】ステップＳ402 でメモリカード12の有無の判定を行なう。メモリカード12が挿入されていなかったならば、ステップＳ403 に進み、メモリカード12が有りと判定されたならば、ステップＳ405 に進む。ステップＳ403 でＬＣＤモニタ115 にメモリカード無しの表示を行なう。ステップＳ404 でタイマ213 が動作中であるか否かを判定する。タイマ213 が動作中はステップＳ402 〜ステップＳ404 を繰り返し、タイマ213 の動作が終了している場合はＬＣＤモニタ115 のメモリカード無しの表示を終了する。」
　
ｂ　特開平２−１０１４４７号公報
　特開平２−１０１４４７号公報（以下、「刊行物３」という。）には、図面とともに次の記載がある。
　
「第８図及び第９図において、左端はフロッピーマーク１５であり、スチルビデオ撮影機構３にビデオフロッピーが装填されているときには塗り潰された表示となり、ビデオフロッピーが装填されていない−ときに細枠線のみの表示となる。」（第４ページ右上欄第１２行目〜１６行目並びに第８図及び第９図）
　
ｃ　特開平８−９２１１号公報
　特開平８−９２１１号公報（以下、「刊行物４」という。）には、図面とともに次の記載がある。
　
「【００８６】メモリ・カード19が装着されていない場合には、メモリ・コントローラ18は、装着されていないことを表すデータ（未装着検出データ）を圧縮ＣＰＵ23に与える。圧縮ＣＰＵ23は、メモリ・コントローラ18から未装着検出データを受けると、このデータを表示ＣＰＵ31に与える（符号103 ）。表示ＣＰＵ31は、このデータを内部ＲＡＭに記憶する。表示ＣＰＵ31は、メモリ・カード19が装着されていないことを示す表示を表示装置33に行う。このとき残り駒数は表示されない。
【００８７】表示装置33は、電子スチル・カメラのボディの表面に取り付けられている。ユーザは、表示装置33に表示された残り駒数Ｎまたはメモリ・カードが未装着であることを、この電子スチル・カメラ外部から見ることができる。残り駒数Ｎが表示されている場合には、ユーザは表示された残り駒数を見て、撮影できる駒数を知ることができる。メモリ・カード19が未装着であることが表示されている場合には、ユーザはメモリ・カードが装着されていないことを知り、必要に応じてメモリ・カードを装着するであろう。」
　
ｄ　特開昭６２−２３２６３０号公報
　特開昭６２−２３２６３０号公報（以下、「刊行物５」という。）には、図面とともに次の記載がある。
　
「まずカメラにフィルムが装填されていないときにメインスイッチ（８２０）を”ＯＮ″位置に設定にすると、表示部（６００）は第２７図（ａ）の如く、フレームカウンタが“０”を示すとともに“ＬＯＡＤ　ＦＩＬＭ”という文字が点滅して、撮影者にフィルムの装填を警告する。」（第２５ページ左下欄第１行目〜第６行目及び第２７図）
　
　上記刊行物２ないし刊行物５に例示したように、電子カメラを含むカメラにおいて、記録媒体の装着が検出されていない場合の表示態様を、「記録媒体の非装着を示す表示を積極的にする」態様とすることは、周知でありごく普通の技術である。
　
（イ）　容易想到性
　引用発明の、
　表示装置（表示手段）を制御する制御回路（ＣＰＵ）が行う表示装置における、
　メインスイッチオフ時にデータ記録媒体検出回路で装着が検出されていない場合の記録媒体が装着されていない場合を示す表示態様に、
　上記周知の技術の、「記録媒体の非装着を示す表示を積極的にする」態様を適用することで、上記相違点は克服されて、本願発明に至るところ、
　当該適用は、
ａ　媒体装着時の“ＨＤＤ”、“ＣＦ”の積極的な表示との対比において「何も表示しない」ことで媒体非装着を示すことはできるものの、「非装着を示す表示を積極的にする」ほうが、より明瞭確実に記録媒体装着を示すことができることは明らかであり、当業者がその後者を選択することは、容易に想起し得るものである。
ｂ　引用発明は、メイン電源スイッチがオフの場合でも、撮影可能枚数を積極的に表示するように表示手段を制御しているものであり、また、刊行物１には、上記「（２）　ウ」、「（２）　エ」に示したとおり、デジタルカメラにおいて、メイン電源スイッチがオフの場合でも、電源容量を積極的に表示するように表示手段を制御することも記載されていて、記録媒体の装着が検出されていない場合の表示態様も、これらと同様の積極的な表示と企図することはごく自然というべきである。
ｃ　上記周知の技術の「非装着を示す表示を積極的にする」表示態様は、メインスイッチオフ時における表示態様ではないが、引用発明においても、メインスイッチオフ時においても上述のように表示を「積極的にする」ことが示されているのであるから、このこと（周知の技術の「非装着を示す表示を積極的にする」表示形態がメインスイッチオフ時における表示形態ではないこと）が、上記適用を困難とするものではない。
ｄ　他に当該適用を阻害する特段の事情があるともいえない。
　ことからみて、当業者が容易になし得たことである。
　
ウ　請求人の主張について
　請求人は、
「特開平５−７５９６６号公報および引用文献１はともに、「メインスイッチオン時」に「非装着である旨を表示する」ことは開示されていても、「メインスイッチオフ時」に「非装着である旨を表示する」ことは、何ら開示・示唆がありません。
　したがって、引用文献１および特開平５−７５９６６号公報に記載の技術を組み合わせたとしても、これら引用文献に基づいて請求項１に記載の発明を想起することは、格別なる困難性を有すると思料します。」
と主張している。
　
　確かに上記（ア）で示した刊行物２ないし５記載の周知の技術は、メインスイッチが「オン」のときにおけるものであるものの、このことが、引用発明の「メインスイッチがオフの場合」の非装着である場合の表示に適用することが当業者にとって困難といえないことは、上記「イ」のとおりである。従って、請求人の上記主張を採用することはできない。
　
エ　判断についてのまとめ
　以上、引用発明を出発点として、上記相違点の克服を行うことで、本願発明の構成に達するところ、その克服は、当業者が容易になし得たことである。
　本願発明の構成は、上記のとおり、当業者が容易に想到できるところ、本願発明の効果は、その容易に想到できる構成から当業者が予測し得る範囲内のものであり、同範囲を超える格別顕著なものでもない。
　
３．むすび
　以上のとおり、本願発明は、刊行物１に記載された発明及び周知の技術に基づいて、当業者が容易に発明をすることができたものであるから、特許法第２９条第２項の規定により特許を受けることができない。
　したがって、その余の請求項について言及するまでもなく、本願は、拒絶すべきものである。
　よって、結論のとおり審決する。